(57)【要約】【課題】人専用の昇降装置と物専用の昇降装置とを別個に設ける場合に比べて、設備費を安く抑える。【解決手段】複数階層の建物２を構築する際に側壁２ａに設置される工事用昇降装置１において、かご室３には、かご床部３０を囲むように少なくとも４つの壁部３１，３２，３３，３４を設ける。これらの壁部３１，…によって安全性が確保されるので、人の搬送が可能となる。また、建物外方側の壁部３２の一部３２ａを開閉可能として地上階にて物（例えば、建築資材等）を搬入できるようにし、かご天井部３５の一部３５ａを開閉可能として所定階（例えば、屋上）にて物を搬出できるようにしている。つまり、１つの昇降装置でありながら、人と物の両方の搬送を可能としているため、人専用と物専用の昇降装置をそれぞれ設ける場合に比べて、設備費を安く抑えることができる。【選択図】図１
2010265084.tif 000002
【特許請求の範囲】
【請求項１】
複数階層の建物を構築する際に該建物の側壁に沿うように設置されるものであって、人及び物の両方を昇降させることができる工事用昇降装置において、
かご床部と、前記建物から近い側にて前記かご床部より立設されたかご内壁部と、前記建物から遠い側にて前記かご床部より立設されたかご外壁部と、これらの壁部と共に前記かご床部を囲むように立設された第１及び第２壁部と、かご天井部と、により構成されると共に、前記建物の側壁に対向するように配置されるかご室、並びに、
該かご室と前記建物の側壁との間にて該側壁に沿うように上下に延設されると共に、前記かご室を昇降可能に支持するガイド手段、を備え、
前記かご外壁部の少なくとも一部が開閉可能であり、
前記かご天井部の少なくとも一部が開閉可能である、
ことを特徴とする工事用昇降装置。
【請求項２】
前記かご室は、
前記かご床部の一部である第１床部と、前記かご内壁部の一部である第１内壁部と、前記かご外壁部の一部である第１外壁部と、前記第１壁部と、前記かご天井部の一部である第１天井部とからなる第１かご部、
前記かご床部の一部である第２床部と、前記かご内壁部の一部である第２内壁部と、前記かご外壁部の一部である第２外壁部と、前記第２壁部と、前記かご天井部の一部である第２天井部とからなる第２かご部、
前記第１床部及び前記第２床部を接離可能な状態で連結する連結床部と、前記第１内壁部及び前記第２内壁部を接離可能な状態で連結する連結内壁部と、前記第１天井部及び前記第２天井部を接離可能な状態で連結する連結天井部とからなるかご連結部と、
を備え、
前記ガイド手段は、前記第１かご部を昇降可能に支持する第１ガイド部と、前記第２かご部を昇降可能に支持する第２ガイド部と、を備え、
前記第１及び前記第２かご部は、前記かご連結部にて連結されている場合には前記ガイド手段に沿って一体的に昇降され、前記かご連結部による連結が解除されている場合には前記第１ガイド部及び前記第２ガイド部に沿って個別に昇降されるように構成された、
ことを特徴とする請求項１に記載の工事用昇降装置。
【請求項３】
前記連結天井部の少なくとも一部は、該連結天井部が前記第１及び前記第２天井部に連結されている場合には、それらの第１及び第２天井部の少なくとも一部と一体的に移動されて前記かご天井部の少なくとも一部を開閉する、
ことを特徴とする請求項２に記載の工事用昇降装置。
【請求項４】
前記第１外壁部は、前記かご連結部が前記第１かご部に連結されている場合には、前記かご連結部の少なくとも一部及び前記第１かご部を略水平方向に移動できるように構成されて該かご連結部の少なくとも一部及び前記第１かご部を開閉するように構成された蛇腹状部材であり、
前記第２外壁部は、前記かご連結部が前記第２かご部に連結されている場合には、前記かご連結部の少なくとも一部及び前記第２かご部を略水平方向に移動できるように構成されて該かご連結部の少なくとも一部及び前記第２かご部を開閉するように構成された蛇腹状部材であり、
前記第１外壁部は、前記かご連結部が前記第１かご部に連結されていない場合には、該かご連結部が連結されていた前記第１かご部の開口部を閉塞するように移動可能に構成され、
前記第２外壁部は、前記かご連結部が前記第２かご部に連結されていない場合には、該かご連結部が連結されていた前記第２かご部の開口部を閉塞するように移動可能に構成された、
ことを特徴とする請求項２又は３に記載の工事用昇降装置。
【請求項５】
前記かご連結部が前記第１かご部に連結されている場合に該かご連結部の一部を閉塞する前記第１外壁部の長さは、前記かご連結部が前記第１かご部に連結されていない場合に前記第１外壁部により閉塞される前記第１かご部の開口部の水平寸法に略等しく、
前記かご連結部が前記第２かご部に連結されている場合に該かご連結部の一部を閉塞する前記第２外壁部の長さは、前記かご連結部が前記第２かご部に連結されていない場合に前記第２外壁部により閉塞される前記第２かご部の開口部の水平寸法に略等しい、
ことを特徴とする請求項４に記載の工事用昇降装置。
【発明の詳細な説明】
【技術分野】
【０００１】
本発明は、複数階層の建物を構築する際に該建物の側壁に沿うように設置されるものであって、人及び物の両方を昇降させることができる工事用昇降装置に関する。
【背景技術】
【０００２】
マンションなどの複数階層の建物を構築する場合には、建築資材等を昇降させる必要があり、貨物用のリフトなどが使用されていた（例えば、特許文献１参照。）。
【先行技術文献】
【特許文献】
【０００３】
【特許文献１】特開２００７−２６２６８８号公報
【発明の概要】
【発明が解決しようとする課題】
【０００４】
しかしながら、そのような貨物用のリフトは  安全対策上  人の搬送用としての利用が認められないため、人の昇降のためには別途  昇降装置が設置されていた。したがって、貨物用と人用の昇降装置がそれぞれ必要となり、設備費が高くついてしまうという問題があった。
【０００５】
本発明は、上述の問題を解消することのできる工事用昇降装置を提供することを目的とするものである。
【課題を解決するための手段】
【０００６】
請求項１に係る発明は、図１(a) に例示するものであって、複数階層の建物（２）を構築する際に該建物（２）の側壁（２ａ）に沿うように設置されるものであって、人及び物の両方を昇降させることができる工事用昇降装置（１）において、
かご床部（３０）と、前記建物（２）から近い側にて前記かご床部（３０）より立設されたかご内壁部（３１）と、前記建物（２）から遠い側にて前記かご床部（３０）より立設されたかご外壁部（３２）と、これらの壁部（３１，３２）と共に前記かご床部（３０）を囲むように立設された第１及び第２壁部（３３，３４）と、かご天井部（３５）と、により構成されると共に、前記建物（２）の側壁（２ａ）に対向するように配置されるかご室（３）、並びに、
該かご室（３）と前記建物の側壁（２ａ）との間にて該側壁（２ａ）に沿うように上下に延設されると共に、前記かご室（３）を昇降可能に支持するガイド手段（４）、を備え、
前記かご外壁部（３２）の少なくとも一部（３２ａ）が開閉可能であり、
前記かご天井部（３５）の少なくとも一部（３５ａ）が開閉可能であることを特徴とする。
【０００７】
請求項２に係る発明は、請求項１に係る発明において、前記かご室（３）は、
前記かご床部（３０）の一部である第１床部（３０Ａ）と、前記かご内壁部（３１）の一部である第１内壁部（３１Ａ）と、前記かご外壁部（３２）の一部である第１外壁部（３２Ａ）と、前記第１壁部（３３）と、前記かご天井部（３５）の一部である第１天井部（３５Ａ）とからなる第１かご部（３Ａ）、
前記かご床部（３０）の一部である第２床部（３０Ｂ）と、前記かご内壁部（３１）の一部である第２内壁部（３１Ｂ）と、前記かご外壁部（３２）の一部である第２外壁部（３２Ｂ）と、前記第２壁部（３４）と、前記かご天井部（３５）の一部である第２天井部（３５Ｂ）とからなる第２かご部（３Ｂ）、
前記第１床部（３０Ａ）及び前記第２床部（３０Ｂ）を接離可能な状態で連結する連結床部（３０Ｃ）と、前記第１内壁部（３１Ａ）及び前記第２内壁部（３１Ｂ）を接離可能な状態で連結する連結内壁部（３１Ｃ）と、前記第１天井部（３５Ａ）及び前記第２天井部（３５Ｂ）を接離可能な状態で連結する連結天井部（３５Ｃ）とからなるかご連結部（３Ｃ）と、
を備え、
前記ガイド手段（４）は、前記第１かご部（３Ａ）を昇降可能に支持する第１ガイド部（４Ａ）と、前記第２かご部（３Ｂ）を昇降可能に支持する第２ガイド部（４Ｂ）と、を備え、
前記第１及び前記第２かご部（３Ａ，３Ｂ）は、前記かご連結部（３Ｃ）にて連結されている場合には前記ガイド手段（４）に沿って一体的に昇降され、前記かご連結部（３Ｃ）による連結が解除されている場合には前記第１ガイド部（４Ａ）及び前記第２ガイド部（４Ｂ）に沿って個別に昇降されるように構成されたことを特徴とする。
【０００８】
請求項３に係る発明は、請求項２に係る発明において、前記連結天井部（３５Ｃ）の少なくとも一部は、該連結天井部（３５Ｃ）が前記第１及び前記第２天井部（３５Ａ，３５Ｂ）に連結されている場合には、それらの第１及び第２天井部（３５Ａ，３５Ｂ）の少なくとも一部と一体的に移動されて前記かご天井部（３５）の少なくとも一部（３５ａ）を開閉することを特徴とする。
【０００９】
請求項４に係る発明は、請求項２又は３に係る発明において、前記第１外壁部（３２Ａ）は、前記かご連結部（３Ｃ）が前記第１かご部（３Ａ）に連結されている場合には、前記かご連結部（３Ｃ）の少なくとも一部及び前記第１かご部（３Ａ）を略水平方向に移動できるように構成されて該かご連結部（３Ｃ）の少なくとも一部及び前記第１かご部（３Ａ）を開閉するように構成された蛇腹状部材であり、
前記第２外壁部（３２Ｂ）は、前記かご連結部（３Ｃ）が前記第２かご部（３Ｂ）に連結されている場合には、前記かご連結部（３Ｃ）の少なくとも一部及び前記第２かご部（３Ｂ）を略水平方向に移動できるように構成されて該かご連結部（３Ｃ）の少なくとも一部及び前記第２かご部（３Ｂ）を開閉するように構成された蛇腹状部材であり、
前記第１外壁部（３２Ａ）は、前記かご連結部（３Ｃ）が前記第１かご部（３Ａ）に連結されていない場合には、該かご連結部（３Ｃ）が連結されていた前記第１かご部（３Ａ）の開口部（図１(b) の符号３６A参照）を閉塞するように移動可能に構成され、
前記第２外壁部（３２Ｂ）は、前記かご連結部（３Ｃ）が前記第２かご部（３Ｂ）に連結されていない場合には、該かご連結部（３Ｃ）が連結されていた前記第２かご部（３Ｂ）の開口部（図２(b) の符号３６B参照）を閉塞するように移動可能に構成されたことを特徴とする。
【００１０】
請求項５に係る発明は、請求項４に係る発明において、前記かご連結部（３Ｃ）が前記第１かご部（３Ａ）に連結されている場合に該かご連結部（３Ｃ）の一部を閉塞する前記第１外壁部（３２Ａ）の長さは、前記かご連結部（３Ｃ）が前記第１かご部（３Ａ）に連結されていない場合に前記第１外壁部（３２Ａ）により閉塞される前記第１かご部（３Ａ）の開口部（３６A）の水平寸法に略等しく、
前記かご連結部（３Ｃ）が前記第２かご部（３Ｂ）に連結されている場合に該かご連結部（３Ｃ）の一部を閉塞する前記第２外壁部（３２Ｂ）の長さは、前記かご連結部（３Ｃ）が前記第２かご部（３Ｂ）に連結されていない場合に前記第２外壁部（３２Ｂ）により閉塞される前記第２かご部（３Ｂ）の開口部（３６B）の水平寸法に略等しいことを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１に係る発明によれば、かご室は、その周囲が壁部にて囲まれて安全性が確保されているので、物の昇降にだけでなく人の昇降にも利用することができる。また、本発明によれば、前記かご外壁部の少なくとも一部が開状態となるように構成されているので、物のかご室への搬入を建物側からでなく建物外方側から行うことが可能となり、建物内を搬送できないような大きな物であっても  建物との干渉を気にせずに前記かご室内に搬入することが可能となる。さらに、かご室への物の搬入は、建物内を経由せずに道路から直接行うことができるため、比較的短時間で済ますことができる。またさらに、かご室を所定階（最上階や途中階）に停止させた状態で前記かご天井部の少なくとも一部を開状態にすれば、該かご室に搬入されている物を  クレーン等で該所定階に搬出することができるので、特に大型物や重量物の搬出に都合が良い。このように、本発明によれば、人のみならず、大型かつ重い物であっても同じ昇降装置で昇降させることが可能となり、人専用の昇降装置と、重量物専用の昇降装置とを別個に設ける場合に比べて、設備費を安く抑えることが可能となる。
【００１３】
請求項２乃至５に係る発明によれば、第１及び第２かご部は別個独立な状態で昇降されるので、物や人の搬送効率を高めることができる。
【図面の簡単な説明】
【００１４】
【図１】図１(a)(b) は、本発明に係る工事用昇降装置の構成の一例を示す模式図である。
【図２】図２(a)(b) は、本発明に係る工事用昇降装置の構成の一例を示す斜視図である。
【図３】図３(a) は、本発明に係る工事用昇降装置の構成の一例（かご一体時）を示す平面図であり、同図(b)は、その正面図である。
【図４】図４(a) は、かご天井部を開けている状態の一例を示す側面図であり、同図(b)は、かご天井部を閉めている状態の一例を示す側面図である。
【図５】図５(a) は、本発明に係る工事用昇降装置の構成の一例（かご分割時）を示す平面図であり、同図(b)は、その正面図である。
【図６】図６(a) は、本発明に係る工事用昇降装置の構成の他の例（かご一体時）を示す平面図であり、同図(b)は、その正面図である。
【発明を実施するための形態】
【００１５】
以下、図１乃至図６に沿って、本発明の実施の形態について説明する。
【００１６】
本発明に係る工事用昇降装置は、図２(a) に符号１で例示するものであって、複数階層の建物２を構築する際に該建物の側壁（以下、“建物側壁”とする）２ａに沿うように設置されて使用されるものである。また、本発明に係る工事用昇降装置１は、
・  かご室３と、
・  該かご室３を昇降可能に支持するガイド手段４と、
を備えており、不図示の駆動手段で駆動されることにより人や物を昇降させるように構成されている。なお、説明の便宜のため、図２(a)の模式図を図１(a) に示し、図２(b) の模式図を図１(b) に示して、詳細構造を説明する。
【００１７】
前記かご室３は、図１(a) に明示するように、
・  床部（本明細書においては“かご床部”とする）３０と、
・  該かご床部３０を囲むように該かご床部３０より立設される  少なくとも４つの壁部３１，３２，３３，３４と、
・  天井部（本明細書においては“かご天井部”とする）３５と、
を備えており、該かご室３は前記ガイド手段４に支持された状態で前記建物側壁２ａに対向するように配置されている。なお、本明細書においては、
・  符号３１で示す壁部、すなわち、前記建物２から近い側（以下、適宜“建物側”と称することとする）に立設される壁部を“かご内壁部”と称し、
・  符号３２で示す壁部、すなわち、前記建物２から遠い側（以下、適宜“建物外方側”と称することとする）に立設される壁部を“かご外壁部”と称し、
・  符号３３で示す壁部を“第１壁部”と称し、
・  符号３４で示す壁部を“第２壁部”と称する、
こととする。そして、上述のかご外壁部３２の少なくとも一部（符号３２ａ参照）、及び上述のかご天井部３５の少なくとも一部（符号３５ａ参照）は開閉可能となるように構成されている。
【００１８】
一方のガイド手段４は、前記かご室３と前記建物側壁２ａとの間にて該建物側壁２ａに沿うように上下に延設されている。
【００１９】
本発明によれば、上述のかご室３は、その周囲が壁部３１，３２，３３，３４にて囲まれて安全性が確保されているので、物の昇降にだけでなく人の昇降にも利用することができる。また、本発明によれば、前記かご外壁部３２の少なくとも一部３２ａが開状態となるように構成されているので、物のかご室３への搬入を建物側からでなく建物外方側から行うことが可能となり、建物内を搬送できないような大きな物であっても  建物との干渉を気にせずに前記かご室内３に搬入することが可能となる。なお、このような物の搬入は、建物外方側に道路が配置された所定階（例えば、１階とか２階とか地階）にかご室３を停止させた状態でフォークリフト等を使用して行うと良い。さらに、かご室３への物の搬入は、建物内を経由せずに道路から直接行うことができるため、比較的短時間で済ますことができる。またさらに、かご室３を所定階（最上階や途中階）に停止させた状態で前記かご天井部３５の少なくとも一部３５ａを開状態にすれば、該かご室３に搬入されている物を  クレーン等で該所定階に搬出することができるので、特に大型物や重量物の搬出に都合が良い。このように、本発明によれば、人のみならず、大型かつ重い物であっても同じ昇降装置１で昇降させることが可能となり、人専用の昇降装置と、重量物専用の昇降装置とを別個に設ける場合に比べて、設備費を安く抑えることが可能となる。
【００２０】
なお、人の乗り降りは、前記第１壁部３３や第２壁部３４を開閉して行うようにすると良い。その場合は、図３(a) (b) に符号２ｂで示すように、建物の各階に足場を設けておいて、同図(b) に矢印Ｃに示す経路で乗降できるようにすると良い。
【００２１】
一方、かご天井部３５の開閉は図４(a) に符号３５ａで示すように行うと良い。すなわち、符号３５ａに示す部分（蓋部材）にヒンジ（不図示）を設けておいて回転自在としておき、矢印Ｄに示す方向に搭載物を搬出するようにすると良い。なお、この図の蓋部材３５ａは建物側にヒンジを設けて該建物側に回転させているが、もちろんこれに限られるものではなく、建物外方側にヒンジを設けて該側に回転させるようにしても良い。後者の場合は、搭載物を搬出する際に、搭載物と蓋部材３５ａとの干渉を回避できる点で好ましい。また、この蓋部材３５ａは、かご室３を昇降させる際には、図４(b)
に示すように閉じておくと良い。
【００２２】
また、図２(a)
や図３(b) に示すかご外壁部（格子状形状のもの）３２は上下にスライドさせて開閉できるようにすると良い。
【００２３】
ところで、上述のかご室３は、図１(b) 及び図２(b) に例示するように、左右２つの部分（以下、適宜“第１かご部”及び“第２かご部”と称することとする）３Ａ，３Ｂに分離できるようにすると共に、それらのかご部３Ａ，３Ｂを上述のガイド手段４で別個独立に昇降できるように支持しておくようにしても良い。以下、その構成について詳細に説明する。
【００２４】
図１(b) に示す第１かご部３Ａは、
・  前記かご床部３０の一部である第１床部３０Ａと、
・  前記かご内壁部３１の一部である第１内壁部３１Ａと、
・  前記かご外壁部３２の一部である第１外壁部３２Ａと、
・  前記第１壁部３３と、
・  前記かご天井部３５の一部である第１天井部３５Ａと、
により構成されている。また、他方の第２かご部３Ｂは、
・  前記かご床部３０の一部である第２床部３０Ｂと、
・  前記かご内壁部３１の一部である第２内壁部３１Ｂと、
・  前記かご外壁部３２の一部である第２外壁部３２Ｂと、
・  前記第２壁部３４と、
・  前記かご天井部３５の一部である第２天井部３５Ｂと、
により構成されている。そして、これらの第１かご部３Ａと第２かご部３Ｂとの間には、図１(a) に示すように、それらを接離可能な状態で連結する“かご連結部”３Ｃが配置されていて、該かご連結部３Ｃは、
・  前記第１床部３０Ａ及び前記第１床部３０Ｂを接離可能な状態で連結する連結床部３０Ｃと、
・  前記第１内壁部３１Ａ及び前記第２内壁部３１Ｂを接離可能な状態で連結する連結内壁部３１Ｃと、
・  前記第１天井部３５Ａ及び前記第２天井部３５Ｂを接離可能な状態で連結する連結天井部３５Ｃと、
により構成されている。なお、
・  かご連結部側の各部材（つまり、連結床部３０Ｃや連結内壁部３１Ｃや連結天井部３５Ｃ）と第１かご部側の各部材（つまり、第１床部３０Ａや第１内壁部３１Ａや第１天井部３５Ａ）との連結、及び、
・  かご連結部側の各部材（つまり、連結床部３０Ｃや連結内壁部３１Ｃや連結天井部３５Ｃ）と第２かご部側の各部材（つまり、第２床部３０Ｂや第２内壁部３１Ｂや第２天井部３５Ｂ）との連結
は、ピンなどの公知の連結部材によって行うと良い。この場合、前記第１外壁部３２Ａと前記第２外壁部３２Ｂとを連結するための連結外壁部３２Ｃを設けておいても良い。また、前記第１かご部３Ａ及び前記第２かご部３Ｂを別個独立の状態で昇降したい場合には、これらのかご部３Ａ，３Ｂの間の位置から前記かご連結部３Ｃを取り除いて図１(b) や図２(b) や図５(a) (b) に示す状態にする必要があるが、その方法としては、
・  かご連結部３Ｃを前記第１及び第２かご部３Ａ，３Ｂから完全の取り外してしまう方法と、
・  かご連結部３Ｃを、前記第１かご部３Ａから取り外して前記第２かご部３Ｂの方に収納する方法（例えば、スライドさせる方法）と、
・  かご連結部３Ｃを前記第２かご部３Ｂから取り外して前記第１かご部３Ａの方に収納する方法（例えば、スライドさせる方法）と、
がある。上記のいずれの方法を取ったとしても、該第１かご部３Ａと該第２かご部３Ｂとの連結を絶ち、しかも、かご連結部３Ｃの寸法（水平方向の寸法であって、符号Ｅで示す寸法）だけ前記第１かご部３Ａと前記第２かご部３Ｂとを離間させることができ、別個独立に昇降させる場合においてそれらのかご部３Ａ，３Ｂの干渉を防止することができる。
【００２５】
この場合、前記連結天井部３５Ｃの開閉部分（前記連結天井部３５Ｃの少なくとも一部であって、例えば、破線３５ａで区切られる部分）は、該連結天井部３５Ｃが前記第１及び前記第２天井部３５Ａ，３５Ｂに連結されている場合には、それらの第１及び第２天井部３５Ａ，３５Ｂ（第１及び第２天井部３５Ａ，３５Ｂの少なくとも一部であって、例えば、破線３５ａで区切られる部分）と一体的に移動されるように構成しておいて、破線３５ａで区切られる部分（つまり、前記かご天井部３５の少なくとも一部）が一体的に開閉されるようにしておくと良い。
【００２６】
また、図６(a) (b) に示すように、上述のような連結外壁部３２Ｃは設けずに第１外壁部３２Ａ及び第２外壁部３２Ｂを蛇腹状部材にして第１かご部３Ａ、第２かご部３Ｂ及びかご連結部３Ｃの開閉をそれらの外壁部３２Ａ，３２Ｂで行うようにしても良い。各外壁部３２Ａ，３２Ｂを蛇腹式にすると、かご室３の建物外方側のほぼ全体を大きく開口させることが可能となり、大型物の出し入れも容易となる。以下、第１外壁部３２Ａを“第１蛇腹部材”とし、第２外壁部３２Ｂを“第２蛇腹部材”として、構造を具体的に説明する。
【００２７】
第１蛇腹部材３２Aは、前記かご連結部３Ｃが前記第１かご部３Ａに連結されている場合には、前記かご連結部３Ｃの少なくとも一部及び前記第１かご部３Ａを略水平方向に移動できるように構成しておき、該かご連結部３Ｃの少なくとも一部及び前記第１かご部３Ａを開閉するように構成しておくと良い。また、第２蛇腹部材３２Bは、前記かご連結部３Ｃが前記第２かご部３Ｂに連結されている場合には、前記かご連結部３Ｃの少なくとも一部及び前記第２かご部３Ｂを略水平方向に移動できるように構成しておき、該かご連結部３Ｃの少なくとも一部及び前記第２かご部３Ｂを開閉するように構成しておくと良い。さらに、前記第１蛇腹部材３２Aは、前記かご連結部３Ｃが前記第１かご部３Ａに連結されていない場合には、該かご連結部３Ｃが連結されていた前記第１かご部の開口部（図１(b) に符号３６Aで示す部分）にまで移動して該開口部を閉塞するように構成しておくと良く、前記第２蛇腹部材３２Bは、前記かご連結部３Ｃが前記第２かご部３Ｂに連結されていない場合には、該かご連結部３Ｃが連結されていた前記第２かご部の開口部（図２(b) の符号３６B参照）にまで移動して該開口部を閉塞するように構成しておくと良い。そのように構成するためには、
・  前記かご連結部３Ｃが前記第１かご部３Ａに連結されている場合に該かご連結部３Ｃの一部を閉塞する前記第１外壁部３２Ａの長さ（図６(a) のＥ／２）は、前記かご連結部３Ｃが前記第１かご部３Ａに連結されていない場合に前記第１外壁部３２Ａにより閉塞される前記第１かご部３Ａの開口部の水平寸法（Ｆ）に略等しくしておき、
・  前記かご連結部３Ｃが前記第２かご部３Ｂに連結されている場合に該かご連結部３Ｃの一部を閉塞する前記第２外壁部３２Ｂの長さ（図６(a) のＥ／２）は、前記かご連結部３Ｃが前記第２かご部３Ｂに連結されていない場合に前記第２外壁部３２Ｂにより閉塞される前記第２かご部３Ｂの開口部の水平寸法（Ｆ）に略等しくしておく、
と良い。
【００２８】
さらに、ガイド手段４は、
・  前記第１かご部３Ａを昇降可能に支持する第１ガイド部４Ａと、
・  前記第２かご部３Ｂを昇降可能に支持する第２ガイド部４Ｂと、
を備えていて、前記第１及び前記第２かご部３Ａ，３Ｂは、
・  前記かご連結部３Ｃにて連結されている場合には前記ガイド手段４（つまり、前記第１ガイド部４Ａ及び前記第２ガイド部４Ｂの両方）に沿って一体的に昇降され、
・  前記かご連結部３Ｃによる連結が解除されている場合には、前記第１かご部３Ａは前記第１ガイド部４Ａに沿って昇降され、前記第２かご部３Ｂは前記第２ガイド部４Ｂに沿って昇降される、
ように構成しておくと良い。
【００２９】
上述のように、かご室３を分割できる構成とした場合には、次のような効果を得ることができる。建物を構築している際、重量物や大型物の搬送が終了した後は、この工事用昇降装置１は、専ら、軽量物や小型物（例えば、仕上げ材や内装材）や人の搬送に使用されるのが一般的である。このとき、上述のかご室３を第１かご部３Ａ及び第２かご部３Ｂに分割することにより、それらのかご部３Ａ，３Ｂは別個独立な駆動制御で建物を昇降されるので、物や人の搬送効率を高めることができる。
【００３０】
なお、図１(b) や図２(b) や図５(a) (b) に示す例では、かご室３は２つに分割することとしたが、３つ以上に分割する場合を本発明の範囲から排除するものでは無い。
【符号の説明】
【００３１】
１            工事用昇降装置
２            建物
２ａ          側壁
３            かご室
３Ａ          第１かご部
３Ｂ          第２かご部
３Ｃ          かご連結部
４            ガイド手段
４Ａ          第１ガイド部
４Ｂ          第２ガイド部
３０          かご床部
３０Ａ        第１床部
３０Ｂ        第２床部
３０Ｃ        連結床部
３１          かご内壁部
３１Ａ        第１内壁部
３１Ｂ        第２内壁部
３１Ｃ        連結内壁部
３２          かご外壁部
３２Ａ        第１外壁部
３２Ｂ        第２外壁部
３３          第１壁部
３４          第２壁部
３５          かご天井部
３５Ａ        第１天井部
３５Ｂ        第２天井部
３５Ｃ        連結天井部
【図１】
2010265084.tif 000003
【図２】
2010265084.tif 000004
【図３】
2010265084.tif 000005
【図４】
2010265084.tif 000006
【図５】
2010265084.tif 000007
【図６】
2010265084.tif 000008